(57)【要約】      （修正有）【課題】  荷電粒子線を収束する作用を有する静電レンズ装置であって静電レンズ  を動作させた場合に発生するビーム位置ずれを抑える。【解決手段】  加速用電極（２−ａ〜２−ｆ）、減速用電極（３−ａ〜３−ｆ）と基準電極を設け、かつ加速用電極の  電位と減速用電極の電位の総和が前記基準電極の電位と等しくなるように前記加  速基および減速電極に電圧を印加する電圧印加手段を有し、複数個の静電レンズ  に独立に電圧を印加するものである。【選択図】図１
2006210456.tif 000002
【特許請求の範囲】
【請求項１】
加速用電極と減速用電極と基準電極とを備え、荷電粒子線を収束する作用を有する静電レンズ装置であって、
前記加速用電極の電位と前記減速用電極の電位の総和が前記基準電極の電位と等しくなるように、前記加速用電極および前記減速用電極に電圧を印加する電圧印加手段を備えることを特徴とする静電レンズ装置。
【請求項２】
前記加速用電極と減速用電極とを同数有することを特徴とする請求項１に記載の静電レンズ装置。
【請求項３】
前記加速用電極と減速用電極の一方が奇数枚、他方が偶数枚で構成されていることを特徴とする請求項１に記載の静電レンズ装置。
【請求項４】
前記加速用電極および減速用電極のそれぞれが、前記荷電粒子線の進行軸と垂直な所定の面に対し対称となる順序で配列されていることを特徴とする請求項１〜３のいずれか１つに記載の静電レンズ装置。
【請求項５】
複数個をマトリクス状に配列されて静電レンズアレイを構成することを特徴とする請求項１〜４のいずれか１つに記載の静電レンズ装置。
【請求項６】
前記電圧印加手段は、前記複数個の静電レンズ装置のそれぞれに独立に電圧を印加するものであることを特徴とする請求項５に記載の静電レンズ装置。
【請求項７】
荷電粒子線を収束する作用を有する静電レンズ装置の調整方法であって、加速用電極と減速用電極と基準電極とを配列する工程と、前記加速用電極の電位と前記減速用電極の電位の総和が前記基準電極の電位と等しくなるように、前記加速用および前記減速用電極に電圧を印加する工程と、を有することを特徴とする静電レンズ装置の調整方法。
【請求項８】
前記静電レンズ装置を複数個マトリクス状に配列し、各々の静電レンズ装置に印加する電圧を個別に設定することを特徴とする請求項７に記載の静電レンズ装置の調整方法。
【請求項９】
荷電粒子線を収束する作用を有する静電レンズ装置の調整方法であって、加速用電極と減速用電極と基準電極を配列する工程と、前記荷電粒子線の進行方向における焦点位置を変化させずに前記荷電粒子線の進行方向とは垂直な方向における所望の位置に前記荷電粒子線が照射されるように、前記加速用電極および前記減速用電極に電圧を印加する工程と、を有することを特徴とする静電レンズ装置の調整方法。
【請求項１０】
荷電粒子線を収束する作用を有する静電レンズ装置を備えた荷電粒子線露光装置であって、
前記静電レンズ装置が、加速用電極と、減速用電極と、基準電極と、前記加速用電極の電位と前記減速用電極の電位の総和が前記基準電極の電位と等しくなるように前記加速用電極および前記減速用電極に電圧を印加する電圧印加手段とを備えることを特徴とする荷電粒子線露光装置。
【請求項１１】
請求項１〜６のいずれか１つに記載の静電レンズ装置を用いて所望のパターンを基板上に露光する工程と、露光された前記基板を現像する工程とを有することを特徴とするデバイス製造方法。
【発明の詳細な説明】
【技術分野】
【０００１】
本発明は、主に半導体集積回路等の露光に用いられる電子ビーム露光装置やイオンビーム露光装置、試料の分析等に用いられる電子顕微鏡、加工に用いられる収束イオンビーム装置等の荷電粒子線装置等に使用される静電レンズ装置、静電レンズ装置の調整方法およびその静電レンズ装置により収束される複数の荷電粒子線を用いてパターン描画を行う荷電粒子線露光装置に関する。
【背景技術】
【０００２】
従来の荷電粒子ビームを収束するための静電レンズが採用されている一つの形態では、特許文献１（特開平９−２４５７０８号公報）に示されているように、荷電粒子源から放出される荷電粒子を加速、成形、縮小し、試料上にビーム照射することによって所望のパターンを試料上に形成する荷電粒子線描画装置があり、荷電粒子線を成形する際には静電レンズアレイを用いて複数のビームを個別に収束している。さらに、特許文献２（特開２００１−３４５２５９号公報）に示されている方式では静電レンズアレイに印加できる電圧は個別に設定することができ、ビーム毎に異なる収束効果を実現している。
【０００３】
一方、静電レンズを使用する別の形態として、特許文献３（特開平１０−２４１６１６号公報）には、加速用電極および減速用電極を用いることによって静電レンズの低収差化を図った方法も提案されている。
【特許文献１】特開平９−２４５７０８号公報
【特許文献２】特開２００１−３４５２５９号公報
【特許文献３】特開平１０−２４１６１６号公報
【発明の開示】
【発明が解決しようとする課題】
【０００４】
しかしながら、上記従来例に示されている静電レンズアレイでは、各レンズに印加する電圧は個別に設定できるものの、隣接する静電レンズ間に異なる電圧を設定すると電場干渉が発生し、ビーム照射位置のずれ、解像度の劣化を招いていた。また、加速用電極および減速用電極を用いた方法はレンズの低収差化を図ることはできるものの、静電レンズアレイに適用した場合、前従来例と同様電場干渉によるビーム照射位置のずれを招くことが避けられず、何れの方式においても電場干渉が生じた場合のビーム位置ずれを避けることができない。
本発明は、上述の従来例における問題点を解消することを課題とする。
【課題を解決するための手段】
【０００５】
上記の課題を解決するために本発明に係る静電レンズ装置は、加速用電極と減速用電極と基準電極とを備え、荷電粒子線を収束する作用を有する静電レンズ装置であって、前記加速用電極の電位と前記減速用電極の電位の総和が前記基準電極の電位と等しくなるように、前記加速用電極および前記減速用電極に電圧を印加する電圧印加手段を備えることを特徴とする。
【０００６】
上記の静電レンズ装置において、前記加速用電極および減速用電極のそれぞれは、前記荷電粒子線の進行軸と垂直な所定の面に対し対称となる順序で配列されていることが好ましい。例えば、加速用電極と減速用電極とが同数である場合、各々1枚の加速用電極と減速用電極を有する電極組を一組とし、荷電粒子線の進行方向の上流側から加速用電極および減速用電極の順に配置された電極組と減速用電極および加速用電極の順に配置された電極組、もしくは荷電粒子線の上流側から減速用電極および加速用電極の順に配置された電極組と加速用電極および減速用電極の順に配置された電極組をそれぞれ1組以上有するとよい。
また、加速用電極と減速用電極の一方を荷電粒子線進行方向の中央に配置し、それを他方で上流および下流側から挟むように、該他方を配置しても良い。これら３枚の電極をさらに前記一方の電極で上流および下流側から挟むように配置した電極５枚の構成とすることもできる。
【０００７】
上記の静電レンズ装置は、複数個をマトリクス状に配列されて静電レンズアレイを構成することができる。電圧印加手段は、前記複数個の静電レンズ装置のそれぞれに独立に電圧を印加するものであってもよい。この場合、電圧印加手段は、単数であってもまたは前記静電レンズ装置の数より少ない複数個であってもよく、また前記静電レンズ装置と１対１で同数が設けられていてもよい。
【０００８】
本発明に係る第１の静電レンズ装置の調整方法は、荷電粒子線を収束する作用を有する静電レンズ装置の調整方法であって、加速用電極と減速用電極と基準電極とを配列する工程と、前記加速用電極の電位と前記減速用電極の電位の総和が前記基準電極の電位と等しくなるように、前記加速用および前記減速用電極に電圧を印加する工程と、を有することを特徴とする。本方法において、好ましくは、前記静電レンズ装置を複数個マトリクス状に配列し、各々の静電レンズ装置に印加する電圧を個別に設定することを特徴とする。
【０００９】
本発明に係る第２の静電レンズ調整方法は、荷電粒子線を収束する作用を有する静電レンズ装置の調整方法であって、加速用電極と減速用電極と基準電極を配列する工程と、前記荷電粒子線の進行方向における焦点位置を変化させずに前記荷電粒子線の進行方向とは垂直な方向における所望の位置に前記荷電粒子線が照射されるように、前記加速用電極および前記減速用電極に電圧を印加する工程と、を有することを特徴とする。
【００１０】
本発明に係る荷電粒子線露光装置は、荷電粒子線を収束する作用を有する静電レンズ装置を備えた荷電粒子線露光装置であって、前記静電レンズ装置が、加速用電極と、減速用電極と、基準電極と、前記加速用電極の電位と前記減速用電極の電位の総和が前記基準電極の電位と等しくなるように前記加速用電極および前記減速用電極に電圧を印加する電圧印加手段とを備えることを特徴とする。
本発明に係るデバイス製造方法は、上記の静電レンズ装置を用いて荷電粒子線により所望のパターンを基板上に描画露光する工程と、露光した前記基板を現像する工程とを有することを特徴とする。
【発明の効果】
【００１１】
本発明によれば、静電レンズ装置の各電極への印加電位を調整することによってレンズ通過後のビーム位置ずれを大幅に減少させることができる。
【発明を実施するための最良の形態】
【００１２】
以下、本発明の好ましい実施の形態について実施例を挙げて説明する。
荷電粒子線の一例として本実施形態では電子線を収束するための静電レンズ装置（以下、静電レンズという）について説明する。なお、本実施形態は、電子線に限らずイオンビームを用いた荷電粒子線装置にも同様に適用できる。
【００１３】
［第１の実施例］
以下、実施例１を説明する。
図１は本発明の第１の実施例に係る静電レンズアレイの概略断面図である。静電レンズアレイを構成する各々の静電レンズは従来技術と同様、円形開口のものである。本静電レンズアレイは複数のビーム４−ａ〜４−ｃを個々に収束するように各々のビームに対応する開口を有しており、また接地電極１および加速用電極２−ａ〜２−ｆ、減速用電極３−ａ〜３−ｆを有している。ビーム４を収束させるには加速用電極、減速用電極にそれぞれ＋、−の電圧を印加すればよい。
【００１４】
しかしながら、複数のビーム４−ａ〜４−ｃの収束作用を個別にコントロールする場合、個々の静電レンズ装置に独立した電圧（例えば接地電極１に対する電位差）、すなわち多くの場合異なる電圧を印加しなくてはならない。個々の静電レンズに異なる電圧を印加すると隣り合う電極間にて電場干渉を起こし、収束作用の他、偏向作用も生じる。例えば、図２（ａ）の如く加速用電極２−ａ〜２−ｆのみに電圧を印加しビームを収束させた場合、静電レンズを通過した後のビームは４−ｄの如く本来照射されるべき位置に照射されず、照射位置のずれを生じる。照射位置のずれ量は隣り合う静電レンズ間の強度差に比例するため、本実施例のように個々の静電レンズに異なる電圧を印加し、さらに隣接間の印加電圧差も静電レンズごとに異なる場合、ビーム照射位置は静電レンズ毎に異なる。
【００１５】
そこで本実施例では以下の方法を用いてビーム照射位置のずれがなくなるような静電レンズを実現した。本実施例の電圧印加方法を図２−（ｂ）に示す。
先に述べた静電レンズの偏向作用は加速用電極と減速用電極では反対方向の作用があり、本実施例では加速用電極２−ａ〜２−ｆと減速用電極３−ａ〜３−ｆの偏向作用を打ち消すように、加速用電極２−ａ〜２−ｆおよび減速用電極３−ａ〜３−ｆの接地電極からの印加電圧を逆極性で絶対値をほぼ等しくしている。さらに、加速用電極２−ａ〜２−ｆおよび減速用電極３−ａ〜３−ｆが一組だけであるとビーム偏向による傾きは打ち消すことはできるが、ビームのシフト偏向分が残り、少ないながらもビーム照射位置ずれの原因となる。そこで本実施例では、加速用電極２−ａ〜２−ｃと減速用電極３−ａ〜３−ｃを一組、減速用電極３−ｄ〜３−ｆと加速用電極２−ｄ〜２−ｆを一組それぞれ配置し、シフト偏向分をも打ち消すようにした。
【００１６】
なお、２組の加速用電極と減速用電極の組が両方ともビーム４−ａ〜４−ｃの方向と同じでは偏向作用を打ち消すことはできない。ビーム４−ａ〜４−ｃの方向に対して配列が互に逆方向となる加速用電極−減速用電極の組と減速用電極−加速用電極の組、または減速用電極−加速用電極の組と加速用電極−減速用電極の組とを配置する必要がある。
【００１７】
本実施例によるビーム照射位置ずれの低減効果を確認するために図１に示した静電レンズの加速用電極２−ａ〜２−ｆに＋１ｋＶ〜＋２ｋＶ、減速用電極３−ａ〜３−ｆに−１ｋＶ〜−２ｋＶの電圧をそれぞれ印加した。同じビームが通過する加速用電極開口、減速用電極開口には極性は異なるものの同じ電圧を印加している。上記の条件にてビーム位置ずれを測定したとところ、位置ずれは１ミクロン以下であった。一方、減速用電極開口のみに−１ｋＶを印加した場合約２００ミクロンのビーム位置ずれを生じた。
【００１８】
次に本実施例による静電レンズを電子ビーム描画装置に搭載した例を図３に示す。電子銃５から放射された電子ビームは絞り１１、レンズ６、アパーチャアレイ１２によって複数ビームに成形された後、本実施例による静電レンズアレイ１３に入射する。本実施例による静電レンズアレイ１３は開口（静電レンズ）によって異なるレンズ強度を持ち異なる高さに焦点を結ぶ。ビームは静電レンズアレイ１３を通過後ブランキングアレイ１４およびレンズ７から１０によってウエハ１５に縮小投影される。静電レンズアレイ１３の焦点位置がビームによって異ならせることができるため、縮小投影された後のビームの収差を大幅に低減させることができる。また、本実施例による静電レンズアレイ１３は開口ごとに印加する電圧は異なるものの、静電レンズ通過後のビーム位置ずれを１ミクロン以下に抑えることができるため、ウエハ上で２０ｎｍ以下にまで照射位置の歪を抑えることができた。
【００１９】
なお、加速用電極および減速用電極が１組だけの場合でもビーム位置ずれは数ミクロンにまで低減することがわかり、静電レンズを配置するシステムによっては十分な効果が得られることがわかった。
また、本実施例では静電レンズアレイのビーム位置ずれを打ち消すよう、加速用電極および減速用電極を配置したが、静電レンズアレイだけでなく、各電極開口が各々一つあり、１本のビームを収束する静電レンズ系であっても、構成の非対称性から静電レンズ部で偏向作用を受ける場合には本実施例で述べたように加速用電極および減速用電極を配置することによりビーム位置ずれを低減させることができる。
【００２０】
［第２の実施例］
次に実施例２を説明する。実施例１では加速用電極および減速用電極を同数使用し、極性は異なるものの接地電極からの電圧をほぼ等しく印加することによって静電レンズ通過後のビーム位置ずれを大幅に低減することができた。本実施例では加速用電極および減速用電極の電極数を同数使用することなく、ほぼ同様の効果を得られる方法を説明する。
【００２１】
図４に本実施例による静電レンズ概略図を示す。実施例１では加速用電極および減速用電極を同数用いていたが本実施例では加速用電極２−ａ〜２−ｆを２組、減速用電極３−ａ〜３−ｃを１組使用し、加速用電極２−ａ〜２−ｆにそれぞれ＋０．５ｋＶ〜＋１．０ｋＶ、減速用電極３−ａ〜３−ｃに−１ｋＶ〜−２ｋＶを印加した。同じビームが通過する加速用電極と減速用電極についてはそれぞれ極性は異なるものの加速用電極の−２倍の電圧を減速用電極に印加している。このように電圧を印加することによって加速用電極による偏向作用を減速用電極による偏向作用によってキャンセルすることができ、かつ静電レンズの電極枚数を減らすことができる。
【００２２】
本実施例では加速用電極の−２倍の電圧を減速用電極に印加したが、同様に減速用電極２枚、加速用電極１枚の構成にて減速用電極の−２倍の電圧を加速用電極に印加した場合にも同様の効果が得られる。また電極数が変化した場合にも加速用電極と減速用電極の印加電圧の総和が接地電極に等しくなる（ゼロになる）場合には加速用電極、減速用電極による偏向作用をキャンセルすることができ、同様の効果を得ることができる。
また、実施例１と同様に本実施例では静電レンズアレイの場合を例に説明したが、実施例１と同様静電レンズアレイだけでなく、単一開口のレンズに本実施例を適用した場合にも同様の効果を得ることができる。
【００２３】
［第３の実施例］
次に本発明の実施例３を説明する。実施例１および実施例２では接地電極に対する加速用電極および減速用電極への印加電圧の総和が接地電極に等しくなるよう印加電圧を調整したが、本実施例ではビームの位置ずれが小さくなるよう別の方法を用いた。構成は実施例１と同様図１に示す通りであり、加速用電極、減速用電極にそれぞれ＋、−の電圧を印加するが、極性が異なるだけで同じ電圧を印加した場合にはビームの位置ずれは完全に０にはならない。そのため、本実施例ではビームの位置ずれを測定し、ビームの位置ずれ量が０になり、かつ所望の収束効果が得られるよう加速用電極および減速用電極のバランスを調整した。
【００２４】
本方法により、ビームの位置ずれを完全に０に調整することができる。なお、本実施例では実施例１と同様の構成にて説明したが、実施例２と同様の構成においても同様の効果を得ることができる。
【００２５】
上述の実施例１〜３によれば、静電レンズの印加電圧を調整することによってレンズ通過後のビーム位置ずれを大幅に減少させることができる。
【００２６】
［第４の実施例］
次に、上述の電子ビーム描画装置を利用した微小デバイスの製造プロセスを説明する。
図５は微小デバイス（ＩＣやＬＳＩ等の半導体チップ、液晶パネル、ＣＣＤ、薄膜磁気ヘッド、マイクロマシン等）の製造のフローを示す。
ステップ１（回路設計）では半導体デバイスの回路設計を行う。ステップ２（ＥＢデータ変換）では設計した回路パターンに基づいて露光装置の露光制御データを作成する。
一方、ステップ３（ウエハ製造）ではシリコン等の材料を用いてウエハを製造する。ステップ４（ウエハプロセス）は前工程と呼ばれ、上記用意した露光制御データが入力された露光装置とウエハを用いて、リソグラフィ技術によってウエハ上に実際の回路を形成する。
次のステップ５（組み立て）は後工程と呼ばれ、ステップ４によって作製されたウエハを用いて半導体チップ化する工程であり、アッセンブリ工程（ダイシング、ボンディング）、パッケージング工程（チップ封入）等の組み立て工程を含む。ステップ６（検査）ではステップ５で作製された半導体デバイスの動作確認テスト、耐久性テスト等の検査を行う。こうした工程を経て半導体デバイスが完成し、ステップ７でこれを出荷する。
【００２７】
上記ステップ４のウエハプロセスは以下のステップを有する。ウエハの表面を酸化させる酸化ステップ、ウエハ表面に絶縁膜を成膜するＣＶＤステップ、ウエハ上に電極を蒸着によって形成する電極形成ステップ、ウエハにイオンを打ち込むイオン打ち込みステップ、ウエハに感光剤を塗布するレジスト処理ステップ、上記の電子ビーム描画装置によって回路パターンをレジスト処理ステップ後のウエハに露光する露光ステップ、露光ステップで露光したウエハを現像する現像ステップ、現像ステップで現像したレジスト像以外の部分を削り取るエッチングステップ、エッチングが済んで不要となったレジストを取り除くレジスト剥離ステップ。これらのステップを繰り返し行うことによって、ウエハ上に多重に回路パターンを形成する。
【図面の簡単な説明】
【００２８】
【図１】本発明の実施例１に係る静電レンズの要部概略を示す図である。
【図２】実施例１を説明するための静電レンズとビーム軌道を示す図である。
【図３】実施例１を説明するための本発明による静電レンズを搭載した電子ビーム描画装置を示す図である。
【図４】本発明の実施例２に係る静電レンズの要部概略を示す図である。
【図５】デバイスの製造プロセスのフローを説明する図である。
【符号の説明】
【００２９】
１：接地電極
２−ａ〜２−ｆ：加速用電極
３−ａ〜３−ｆ：減速用電極
４−ａ〜４−ｄ：電子ビーム軌道
５：電子源
６〜１０：レンズ
１１，１６：絞り
１２：アパーチャアレイ
１３：静電レンズアレイ
１４：ブランキングアレイ
１５：ウエハ
【図１】
2006210456.tif 000003
【図２】
2006210456.tif 000004
【図３】
2006210456.tif 000005
【図４】
2006210456.tif 000006
【図５】
2006210456.tif 000007